(57)【特許請求の範囲】
【請求項１】
水田に隣接して所定の高さで盛土あるいは切土して形成され、天部、及び、該天部から水田の方向に下り傾斜する水田側法面部を有する畦畔に設置され、
前記水田側法面部に覆設するパネル体と、
該パネル体の上端に配置され、同パネル体の上端位置を前記天部近傍に固定する第１固定部材と、
前記パネル体の下端に配置され、同パネル体の下端位置を前記水田側法面部の裾近傍に固定する第２固定部材と、を備え、
前記パネル体は、表面側内面及び裏面側内面の間に設けた支壁により複数の空間に区画された中空部が形成され、該各空間が前記第１固定部材側となる方向から前記第２固定部材側となる方向に向かって形成されると共に、同空間の少なくとも第２固定部材側に開口部が形成された構造であり、
前記第２固定部材が、前記開口部から突出した所定長さの杭状部材である
畦畔覆設ユニット。
【請求項２】
前記杭状部材は、前記パネル体の前記第２固定部材側に形成された前記開口部を介して前記中空部内に嵌着される嵌入部、該嵌入部の反対方向に所定長さで延設され、前記水田側法面部の裾近傍の土壌内に埋入する第２埋入部、及び、該第２埋入部と前記嵌入部の間に設けられ、前記パネル体の前記開口部口縁で係止可能な係止部、を有する構造である
請求項１に記載の畦畔覆設ユニット。
【請求項３】
前記第２埋入部は、嵌入部よりも幅広な形状であり、表面積を拡大させる加工が成されている
請求項２に記載の畦畔覆設ユニット。
【請求項４】
前記パネル体は、設置状態において表面側かつ高さ方向中間となる領域に開口部が形成され、該開口部の奥側に所定広さのポケット部が設けられている
請求項１〜３のいずれかに記載の畦畔覆設ユニット。
【請求項５】
前記パネル体の開口部は、板厚方向に貫通して形成されており、
前記ポケット部は、正面側のみが開口した箱状のポケット部構成材を、その開口部分が前記パネル体の設置状態において表面側となるように前記パネル体の開口部に嵌め入れて設ける構造である
請求項４に記載の畦畔覆設ユニット。
【請求項６】
前記第１固定部材は、設置状態において下方向となる部分に設けられ、前記パネル体の上端縁が嵌合する第１受け部、及び、設置状態において下方向となる部分に設けられ、前記天部の土壌内に埋入する第１埋入部、を有する構造である
請求項１〜５のいずれかに記載の畦畔覆設ユニット。
【請求項７】
前記第１固定部材は、上面が略平坦に形成されると共に、該上面に滑り止め部が設けられている
請求項６に記載の畦畔覆設ユニット。
【請求項８】
水田に隣接して所定の高さで盛土あるいは切土して形成され、天部、及び、該天部から水田の方向に下り傾斜する水田側法面部を有する、畦畔基礎部と、
前記水田側法面部に覆設されたパネル体、前記天部に設置され、該パネル体の上端位置を同天部近傍で固定した第１固定部材、及び、前記水田側法面部の裾近傍に設置され、前記パネル体の下端位置を同水田側法面部の裾近傍に固定した第２固定部材を有し、
前記パネル体は、表面側内面及び裏面側内面の間に設けた支壁により複数の空間に区画された中空部が形成され、該各空間が前記第１固定部材側となる方向から前記第２固定部材側となる方向に向かって形成されると共に、同空間の少なくとも第２固定部材側に開口部が形成された構造であり、
前記第２固定部材が、前記開口部から突出した所定長さの杭状部材である、畦畔覆設ユニットと、を備える
畦畔構造体。
【請求項９】
水田に隣接して、天部、及び、該天部から水田の方向に下り傾斜する水田側法面部を有する所定の高さの盛土あるいは切土を形成する畦畔基礎部形成工程と、
該畦畔基礎部形成工程により形成された前記水田側法面部をパネル体で覆設する法面覆設ステップ、前記パネル体の上端位置を前記天部近傍で固定可能な第１固定部材を同天部に設置する第１固定部材設置ステップ、及び、前記パネル体の下端位置を前記水田側法面部の裾近傍で固定可能な第２固定部材を同水田側法面部に設置する第２固定部材設置ステップ、を有する、水田側法面壁部形成工程と、を備え、
前記パネル体は、表面側内面及び裏面側内面の間に設けた支壁により複数の空間に区画された中空部が形成され、該各空間が前記第１固定部材側となる方向から前記第２固定部材側となる方向に向かって形成されると共に、同空間の少なくとも第２固定部材側に開口部が形成された構造であり、
前記第２固定部材設置ステップは、所定長さの杭状部材である前記第２固定部材を、同開口部から突出させて前記水田側法面部の裾近傍に土壌中に埋入させる
畦畔覆設方法。
【発明の詳細な説明】
【技術分野】
【０００１】
本発明は、畦畔覆設ユニット、畦畔構造体、畦畔構造体、及び、畦畔覆設方法に関する。詳しくは、簡易な構造で施工が容易でありながら、長期堅牢な法面壁部を形成可能な畦畔覆設ユニット、畦畔構造体、及び、畦畔覆設方法に関する。
【背景技術】
【０００２】
従来から、水田の周囲には盛土による「あぜ（以下「畦畔」）」が形成されている。畦畔は、水田の湛水の漏出防止や、区画の境界、通路等としての用途に使用されている。そして、畦畔は、水田側の法面における雑草の繁殖抑止、補強、防水等のために「畦塗り」を行うことが一般的である。
【０００３】
畦塗りは、水田の周囲の土や盛土の一部を水と混練して塗布し、法面に泥壁を形成するのであるが、手間と労力を要する作業であるため、従来は近所の農家等と協同して行うことが多かった。なお、畦塗りは、田植えの前のみならず、破損した際にも行われる。しかしながら、近年、農業従事者の減少化及び高齢化が進んでおり、高齢者が単独又は少人数で、通常の農作業のほかに、畦塗り作業を繰り返し行うことは作業負担が大きい。
【０００４】
このような課題を解決する一手段として、例えば、下記特許文献１に記載されているような畦畔等の保護構造が提案されている。当該畦畔等の保護構造は、柔軟性を備えたシート状のカバー部材と、所定長さの受け棒体と、上部に受け棒体の抱持部を備えた止着板とで構成し、止着板を保護対象の裾部分の土中に差し入れると共に、保護対象面を被覆したカバー部材の端部に受け棒体を添わせて、抱持部内に受け棒体を圧入し、カバー部材を挟持してなることを特徴としている。
【０００５】
特許文献１記載の畦畔等の保護構造は、前述したカバー部材の採用によって、畦塗りよりも施工が容易でありながら、畦畔形状に制限を受けることが無く、しかもカバー部材の止着が線支持であって、しっかりと止められ、風に対する耐力も優れ、且つ止着板による止水機能も発揮できる、とされている。
【先行技術文献】
【特許文献】
【０００６】
【特許文献１】特開２００４−０５２４５２号公報
【発明の概要】
【発明が解決しようとする課題】
【０００７】
一方、特許文献１記載の畦畔等の保護構造は、畦畔等を覆う部分が柔軟性を備えたシート状のカバー部材であるため耐久性に乏しく、例えば、作業機械の通過や接触、作業者の使用する農具や歩行（単なる畦畔通行者も含む）による接触、又は、害鳥獣（爬虫類、虫類も含む）によって、破損あるいは磨損する可能性が高い。そして、カバー部材の材料的性質から、破損箇所が拡大し、破損箇所からの浸水に起因して法面の変形崩壊が生じる可能性がある。
【０００８】
本発明は、以上の点を鑑みて創案されたものであり、簡易な構造で施工が容易でありながら、長期堅牢な法面壁部を形成可能な畦畔覆設ユニット、畦畔構造体、及び、畦畔覆設方法を提供することを目的とする。
【課題を解決するための手段】
【０００９】
上記の目的を達成するために、本発明の畦畔覆設ユニットは、水田に隣接して所定の高さで盛土あるいは切土して形成され、天部、及び、該天部から水田の方向に下り傾斜する水田側法面部を有する畦畔に設置され、前記水田側法面部に覆設するパネル体と、該パネル体の上端に配置され、同パネル体の上端位置を前記天部近傍に固定する第１固定部材と、前記パネル体の下端に配置され、同パネル体の下端位置を前記水田側法面部の裾近傍に固定する第２固定部材と、を備える。
【００１０】
ここで、パネル体は、水田側法面部の表面を覆うことができる。これにより、水田側法面部が直接的に破損あるいは崩壊することを抑止できる（法面保護）と共に、雑草の繁殖を抑えて作業負担の軽減を図ることができる。
【００１１】
第１固定部材は、安定的にパネル体の上端位置を天部近傍に固定することができる。また、第２固定部材は、安定的にパネル体の下端位置を水田側法面部の裾近傍に固定することができる。つまり、第１固定部材及び第２固定部材は、協働してパネル体が水田側法面部に固定し離脱することを抑制することができる。
【００１２】
なお、パネル体は、その下端を水田側法面部の裾近傍の土壌上面に位置させる態様であってもよいし、その下端を水田側法面部の裾近傍の土壌中に所定の深さで位置させる（土壌中に埋入させる）態様であってもよい
【００１３】
また、パネル体が、設置状態において表面側かつ高さ方向中間となる領域に開口部が形成され、開口部の奥側に所定広さのポケット部が設けられている場合は、ポケット部の各種利用が可能となる。例えば、ポケット部は、水田側法面部の昇降をする際に足先や手を入れることで、手がかり足がかりとして利用することができる。また、ポケット部は、水位センサーの設置箇所としても使用することができる。
【００１４】
また、パネル体の開口部が、板厚方向に貫通して形成されており、ポケット部は、正面側のみが開口した箱状のポケット部構成材を、その開口部分がパネル体の設置状態において表面側となるようにパネル体の開口部に嵌め入れて設ける構造である場合は、パネル体とポケット部構成材とを分けて製造し、現場で組み立てる態様とすることができる。これにより、パネル体の製造工程を簡易化することができ、製造コストの低減化を図ることができる。また、ポケット部構成材が別部材であるため、用途に合わせて適宜形状等を改変又は選択することで汎用性が向上し、多用途に対応することができる。加えて、用途別の形状であるポケット部が形成されたパネル体（全体）を製造せずに済むため、製造工場における多品種製造の必要が無く、製造コスト低減化を図ることができる。
【００１５】
また、第１固定部材が、設置状態において下方向となる部分に設けられ、パネル体の上端縁が嵌合する第１受け部、及び、設置状態において下方向となる部分に設けられ、天部の土壌内に埋入する第１埋入部、を有する構造である場合は、効率良くかつ安定的にパネル体の上端位置を天部近傍に固定することができる。
【００１６】
詳しくは、第１受け部は、これにパネル体の上端縁を嵌合させるだけで、第１固定部材とパネル体の上端縁の固定を成すことができる。そして、第１埋入部は、これを天部の土壌中に埋入させることで、天部に第１固定部材が安定的に支持される。天部に安定的に支持された第１固定部材は、パネル体が水田側法面部から離脱しないように、パネル体上部を保持することになる。
【００１７】
また、第１固定部材が、上面が略平坦に形成されると共に、上面に滑り止め部が設けられている場合は、畦畔の天部上を歩行する者や走行する車両が、水田側法面部側へ滑落しにくようにすることができる。
【００１８】
また、パネル体が、複数の中空部が形成された押出成形セメント板である場合は、耐腐食性や耐候性と共に、強度を有する法面壁部を構成することができる。そして、同パネル体は、複数の中空部を有し、無垢のセメント板と比較して軽量なため、設置場所までの運搬、設置作業の際に、作業者の負担を軽減することができる。
【００１９】
また、パネル体が、中空部が、表面側内面及び裏面側内面の間に設けた支壁により複数の空間に区画され、該各空間が第１固定部材側となる方向から第２固定部材側となる方向に向かって形成されると共に、同空間の少なくとも第２固定部材側に開口部が形成された構造であり、第２固定部材が、前記開口部から突出した所定長さの杭状部材である場合は、パネル体の剛性が向上すると共に、効率良くかつ安定的にパネル体の下端位置を水田側法面部の裾近傍に固定することができる。
【００２０】
詳しくは、中空部が前述の支壁によって内側から支えられているため耐圧性が向上し、表面側から又は裏面側からの押圧力により圧壊しにくいようになっている。また、中空部内の各空間が第１固定部材側となる方向から第２固定部材側となる方向に向かって形成されていることから、この空間に前述した第２固定部材（杭状部材）を設けることができる。そして、この空間は、第２固定部材側に開口しているので、開口部を通じて第２固定部材（杭状部材）を突出させることができる。
【００２１】
第２固定部材（杭状部材）は、これを水田側法面部の裾近傍の土壌中に埋入させることで、水田側法面部の裾近傍に第２固定部材が安定的に支持される。水田側法面部の裾近傍に安定的に支持された第２固定部材は、パネル体が水田側法面部から離脱しないように、パネル体下部を保持することになる。また、第２固定部材は、杭状部材であることにより、水田側法面部の裾近傍の土壌中に埋入させやすく、効率良く施工することができる。
【００２２】
なお、杭状部材は、パネル体と分離可能な構造あるいは一体構造のいずれであってもよく、また、その形状及び構造を特に限定するものではないが、例えば、パネル体と分離可能又は一体的な所定長さの棒体であってもよいし、後述するような、パネル体の開口部から中空部内に嵌着される嵌入部及び水田側法面部の裾近傍の土壌内に埋入する第２埋入部を有する構造であってもよい。
【００２３】
また、杭状部材が、パネル体の第２固定部材側に形成された開口部を介して中空部内に嵌着される嵌入部、嵌入部の反対方向に所定長さで延設され、水田側法面部の裾近傍の土壌内に埋入する第２埋入部、及び、第２埋入部と嵌入部の間に設けられ、パネル体の開口部口縁で係止可能な係止部、を有する構造である場合は、パネル体と第２固定部材（杭状部材）とを分けて製造し、現場で組み立てる態様とすることができる。これにより、パネル体の製造工程を簡易化することができ、製造コストの低減化を図ることができる。
【００２４】
詳しくは、嵌入部は、パネル体の開口部を介して中空部内に差し入れるだけで簡単に挿着することができるので、組み立て作業が容易である。そして、嵌入部が中空部内に嵌着されるので、軸方向における杭状部材の軸ブレが起きにくく、これにより、杭状部材を水田側法面部の裾近傍の土壌内に埋入させる作業がしやすく、かつ、設置後のパネル体が水田側法面部の左右方向にずれることを抑制することができる。
【００２５】
第２埋入部は、これを水田側法面部の裾近傍の土壌中に埋入させることで、水田側法面部の裾近傍に第２固定部材が安定的に支持される。水田側法面部の裾近傍に安定的に支持された第２固定部材は、パネル体が水田側法面部から離脱しないように、パネル体下部を保持することになる。また、第２埋入部は、水田側法面部の裾近傍の土壌中に埋入させやすく、効率良く施工することができる。
【００２６】
ところで、パネル体の中空部が長尺であると共に、第２固定部材（杭状部材）の嵌入部が短尺で係止部が無い場合、第２固定部材（杭状部材）をパネル体に取り付ける際あるいは第２固定部材（杭状部材）を土壌中に埋入させる際に、中空部の奥側に嵌入部の先端が当接しないので、第２埋入部までもが中空部に入り込み、所望する第２埋入部の突出長さが確保できない可能性がある。
【００２７】
しかしながら、本発明の第２固定部材（杭状部材）は、前述の係止部を有することにより、第２固定部材（杭状部材）をパネル体に取り付ける際等において、第２埋入部が必要以上に中空部内に入らないように、パネル体の開口部口縁で係止することができる。また、係止部が前述の作用効果を奏するので、嵌入部を短尺に設計することが可能となり、杭状部材の全長を短尺化した場合、保管時及び輸送時の省スペース化を図ることができる。
【００２８】
また、第２埋入部が、嵌入部よりも幅広な形状であり、表面積を拡大させる加工が成されている場合は、第２埋入部を土壌中に埋入した状態において、第２埋入部の表面と土壌との接触面積を更に拡大して摩擦力を増大させ、パネル体の固定を更に安定的なものすることができる。
【００２９】
また、第２固定部材が、水田側法面部の裾近傍の土壌上面に設置される態様であり、設置状態において上方向となる部分に設けられ、パネル体の下端縁が嵌合する第２受け部、及び、設置状態において下方向となる部分に設けられ、水田側法面部の裾近傍の土壌内に埋入する第２埋入部、を有する構造である場合は、同第２固定部材を以てパネル体下端を受け、水田側法面部の裾近傍においてパネル体下部を保持することができる。
【００３０】
詳しくは、第２受け部は、パネル体の下端縁を嵌合させるだけでパネル体との接合が成る構造であるため、施工が容易である。そして、第２埋入部は、これを水田側法面部の裾近傍の土壌中に埋入させることで、水田側法面部の裾近傍に第２固定部材が安定的に支持される。水田側法面部の裾近傍に安定的に支持された第２固定部材は、パネル体が水田側法面部から離脱しないように、パネル体下部を保持することになる。
【００３１】
上記の目的を達成するために、本発明の畦畔構造体は、水田に隣接して所定の高さで盛土あるいは切土して形成され、天部、及び、天部から水田の方向に下り傾斜する水田側法面部を有する、畦畔基礎部と、水田側法面部に覆設されたパネル体、天部に設置され、パネル体の上端位置を同天部近傍で固定した第１固定部材、及び、水田側法面部の裾近傍に設置され、パネル体の下端位置を同水田側法面部の裾近傍に固定した第２固定部材を有する、畦畔覆設ユニットと、を備える。
【００３２】
ここで、畦畔基礎部は、水田に隣接して所定の高さで盛土あるいは切土して形成されていることにより、水田とその隣接地（例えば、他の水田や畑、道路等）とを区画することができる。また、畦畔基礎部の天部は、作業者や車両の通路とすることができる。なお、畦畔基礎部の水田側法面部は、水田に作業者や車両が下りるための通路となり得る。
【００３３】
畦畔覆設ユニットは、パネル体を有することによって、水田側法面部の表面を覆うことができる。これにより、水田側法面部が直接的に破損あるいは崩壊することを抑止できる（法面保護）と共に、雑草の繁殖を抑えて作業負担の軽減を図ることができる。
【００３４】
畦畔覆設ユニットは、第１固定部材を有することによって、安定的にパネル体の上端位置を天部近傍に固定することができる。また、第２固定部材は、安定的にパネル体の下端位置を水田側法面部の裾近傍に固定することができる。つまり、第１固定部材及び第２固定部材は、協働してパネル体が水田側法面部に固定し離脱することを抑制することができる。
【００３５】
上記の目的を達成するために、本発明の畦畔覆設方法は、水田に隣接して、天部、及び、天部から水田の方向に下り傾斜する水田側法面部を有する所定の高さの盛土あるいは切土を形成する畦畔基礎部形成工程と、畦畔基礎部形成工程により形成された水田側法面部をパネル体で覆設する法面覆設ステップ、パネル体の上端位置を天部近傍で固定可能な第１固定部材を同天部に設置する第１固定部材設置ステップ、及び、パネル体の下端位置を水田側法面部の裾近傍で固定可能な第２固定部材を同水田側法面部に設置する第２固定部材設置ステップ、を有する、水田側法面壁部形成工程と、を備える。
【００３６】
ここで、畦畔基礎部形成工程は、水田に隣接して、天部、及び、天部から水田の方向に下り傾斜する水田側法面部を有する所定の高さの盛土あるいは切土を形成することができる。
【００３７】
水田側法面壁部形成工程は、法面覆設ステップ、第１固定部材設置ステップ、及び、第２固定部材設置ステップを有する。なお、当該３つのステップは、その順番について特に限定するものではない。また、法面覆設ステップ及び第１固定部材設置ステップ、又は、法面覆設ステップ及び第２固定部材設置ステップをほぼ同時に行う態様であってもよい。
【００３８】
法面覆設ステップによれば、畦畔基礎部の水田側法面部をパネル体で覆設することができる。これにより、水田側法面部が直接的に破損あるいは崩壊することを抑止できる（法面保護）と共に、雑草の繁殖を抑えて作業負担の軽減を図ることができる。
【００３９】
第１固定部材設置ステップによれば、第１固定部材によって安定的にパネル体の上端位置を天部近傍に固定することができる。また、第２固定部材設置ステップによれば、第２固定部材によって安定的にパネル体の下端位置を水田側法面部の裾近傍に固定することができる。つまり、第１固定部材設置ステップ及び第２固定部材設置ステップによれば、第１固定部材及び第２固定部材が協働し、パネル体が水田側法面部に固定し離脱することを抑制することができる。
【発明の効果】
【００４０】
本発明の畦畔覆設ユニット、畦畔構造体、及び、畦畔覆設方法によれば、簡易な構造で施工が容易でありながら、長期堅牢な法面壁部を形成することができる。
【図面の簡単な説明】
【００４１】
【図１】本発明に係る畦畔覆設ユニット（第１実施形態）を設置した畦畔構造体の斜視説明図である。
【図２】図１の畦畔構造体の幅方向縦断面を示しており、（ａ）は同畦畔覆設ユニットによる畦畔覆設方法を示す分解説明図であり、（ｂ）は同畦畔覆設ユニットが設置された畦畔構造体の幅方向断面図である。
【図３】図１に示す畦畔覆設ユニットの変形例（変形例１）を示しており、（ａ）は同畦畔覆設ユニットによる畦畔覆設方法を示す分解説明図であり、（ｂ）は同畦畔覆設ユニットが設置された畦畔構造体の幅方向縦断面図である。
【図４】本発明に係る畦畔覆設ユニットの他の実施形態（第２実施形態）を設置した畦畔構造体の幅方向縦断面であって、畦畔覆設ユニットに係るパネル体の組み立て前後を示しており、（ａ）は同畦畔覆設ユニットに係るパネル体及び第２固定部材の設置工程を示す説明図であり、（ｂ）は（ａ）で設置されたパネル体上端位置に第１固定部材を設置する工程を示す説明図であり、（ｃ）は同畦畔覆設ユニットが設置された畦畔構造体の幅方向縦断面図である。
【図５】図４に示す畦畔覆設ユニットの構成部材を示しており、（ａ）はパネル体の端面形状を示す平面図であり、（ｂ）は（ａ）のパネル体と第２固定部材を組み合わせた状態を示す正面図であり、（ｃ）は第２固定部材の正面、平面、底面、左側面を示す四面図である。
【図６】本発明に係る畦畔覆設ユニット（第３実施形態）を設置した畦畔構造体を示しており、（ａ）は同畦畔覆設ユニットを設置した畦畔構造体の幅方向縦断面図であり、（ｂ）は（ａ）の畦畔覆設ユニットに係るパネル体と第２固定部材（第１例）を組み合わせた状態を示す平面図であり、（ｃ）は同第２固定部材の他の例（第２例）を組み合わせた状態を示す平面図である。
【図７】本発明に係る畦畔覆設ユニット（第４実施形態）を設置した畦畔構造体の斜視説明図である。
【図８】図７の畦畔覆設ユニットに係るパネル体の組み立て前後を示す斜視説明図である。
【図９】図６に示す畦畔覆設ユニットの変形例（変形例２）を示しており、（ａ）は同畦畔覆設ユニットが設置された畦畔構造体の幅方向縦断面図であり、（ｂ）は（ａ）の畦畔覆設ユニットに係るパネル体と第２固定部材（第１例）を組み合わせた状態を示す平面図であり、（ｃ）は他の第２固定部材（第２例）を組み合わせた状態を示す平面図である。
【発明を実施するための形態】
【００４２】
図１〜図９を参照して、本発明の実施の形態を更に詳細に説明する。なお、以下の説明は、本発明の第１実施形態、変形例１、第２実施形態、第３実施形態、第４実施形態、変形例２の順序により行う。また、図面各図における符号は、煩雑さを軽減し理解を容易にする範囲内で付しており、同一符号が付される複数の同等物についてはその一部にのみ符号を付す場合がある。
【００４３】
〔第１実施形態〕
（畦畔構造体１）
図１〜図２を参照して、本発明の一実施形態（第１実施形態）である畦畔構造体１について説明する。畦畔構造体１は、水田Ｐ１と水田Ｐ２を区切るように設置され、畦畔基礎部２と畦畔覆設ユニット３を備える。各部については以下詳述する。
【００４４】
（畦畔基礎部２）
畦畔基礎部２は、水田Ｐ１及びＰ２に隣接して所定の高さで盛土あるいは切土して形成されている。畦畔基礎部２は、盛土の場合は設置箇所に係る水田Ｐ１、Ｐ２の土壌を利用してもよく、盛土あるいは切土のいずれの場合も、横断面視で台形状になるように締め固めて形成されている。
【００４５】
畦畔基礎部２は、その上面を構成し、畦畔基礎部２の長手方向に略平坦な天部２１、天部２１から水田Ｐ１の方向に下り傾斜して形成された水田側法面部２２、及び、天部２１から水田Ｐ２の方向に下り傾斜する水田側法面部２３を有する。天部２１の水田側法面部２２側の角部分には、天部２１の長手方向に沿って切り欠かれた上段部２１０が形成されている。
【００４６】
（畦畔覆設ユニット３）
畦畔覆設ユニット３は、パネル体３１、第１固定部材３２及び第２固定部材３３を有し、これらの組み合わせにより構成されている。パネル体３１、第１固定部材３２及び第２固定部材３３は、コンクリート二次製品である。
【００４７】
パネル体３１は、水田側法面部２２を覆設する部材であり、上下端面に形成された複数の開口部と連通する中空部（符号省略）が形成された押出成形セメント板である。より詳しくは、パネル体３１は、中空部が、表面側内面及び裏面側内面の間に設けた支壁により複数の空間に区画されている。そして、この各空間は、第１固定部材３２側となる方向から第２固定部材３３側となる方向（換言すると設置時における上下方向）に向かって形成されると共に、上下端面が開口した構造である。なお、パネル体３１の長辺及び短辺の寸法は、設置される水田側法面部２２の広さに応じて適宜設定される。
【００４８】
第１固定部材３２は、天部２１（より詳しくは上段部２１０）に設置し、パネル体３１の上端位置を天部２１近傍で固定する部材であり、第１受け部３２１、及び、第１埋入部３２２、を有する構造である。また、第１固定部材３２は、その上面が略平坦に形成され、上面の長手方向に亘る複数条の滑り止め部３２３が設けられている。
【００４９】
第１受け部３２１は、設置状態において第１固定部材３２の下面となる部分に設けられてパネル体３１の上端縁が嵌合する、凹条溝である。
【００５０】
第１埋入部３２２は、天部２１の土壌内に埋入する部分であり、第１受け部３２１と同じ面において第１受け部３２１近傍かつ平行に設けられた２条の凸条から成り、各凸条は所定間隔を開けて設けられている。第１埋入部３２２は、その突出高さが第１固定部材３２下面から約４０ｍｍに設けられている。
【００５１】
第２固定部材３３は、水田側法面部２２の裾近傍の土壌上面に設置され、パネル体３１の下端位置を水田側法面部２２の裾近傍に固定する部材であり、第２受け部３３１、及び、第２埋入部３３２、を有する構造である。また、第２固定部材３３は、その上面が略平坦に形成され、上面の長手方向に亘る複数条の滑り止め部３３３が設けられている。
【００５２】
第２埋入部３３２は、水田側法面部２２の裾近傍の土壌内に埋入する部分であり、設置状態において第２固定部材３３の下面となる部分に、平行に設けられた２条の凸条から成り、各凸条は所定間隔を開けて設けられている。第２埋入部３３２は、その突出高さは第２固定部材３２下面から約４０ｍｍに設けられている。
【００５３】
第２受け部３３１は、設置状態において第２固定部材３３の上面となる部分に設けられ、パネル体３１の下端縁が嵌合する凹条溝である。
【００５４】
本実施形態において、第１埋入部３２２の突出高さは前述の通りであるが、これに限定するものではなく、例えば、３０ｍｍ以上５０ｍｍ以下であることが好ましい。３０ｍｍ未満の場合は土壌中へ食い込みが不足して位置ずれを起こす可能性があり、一方で５０ｍｍを超えると、土壌中へ食い込みは十分であるが、埋設により大きな力を要して作業性が悪化し、破損可能性が高まるためである。また、本実施形態において、第２埋入部３３２の突出高さは前述の通りであるが、これに限定するものではなく、第１埋入部３２２と同様の理由から、３０ｍｍ以上５０ｍｍ以下であることが好ましい。
【００５５】
（作  用）
本発明の畦畔構造体１の作用について説明する。
畦畔構造体１の畦畔基礎部２は、畦畔の本質的用途である水田Ｐ１、Ｐ２の湛水の漏出防止や、水田Ｐ１とその隣接地（水田Ｐ２）の区画境界として使用することができる。なお、天部２１は作業者や車両の通路としても使用することができる。また、水田側法面部３１は、畦畔覆設ユニット３の設置領域とすることができる。
【００５６】
パネル体３１は、その形成素材及び構造に起因する耐荷重性、耐腐食性や耐候性によって、堅牢で長持ちする法面壁部を構成することができる。これにより、水田側法面部２２が直接的に破損あるいは崩壊することを長期間にわたって抑止（法面保護）し、作業者の肉体的経済的な負担軽減を図ることができる。加えて、覆設部分における雑草の繁殖を抑止できるので、刈り取り等の作業負担の軽減も図ることができる。そして、パネル体３１は、無垢のセメント板と比較して軽量なため、設置場所までの運搬、設置作業の際に、作業者の負担を軽減することができる。
【００５７】
第１固定部材３２は、パネル体３１を水田側法面部２２の表面に沿わせた状態で、パネル体３１上端縁が第１受け部３２に嵌合するよう位置合わせをし、そして、第１埋入部３２２が天部２１の土壌中に食い込むように、上方から畦畔基礎部１の天部２１へ押圧して取り付ける。
【００５８】
この結果、第１固定部材３２は、天部２１の土壌中に埋入した第１埋入部３２２によって、水平方向に荷重が加わっても設置位置からずれないように安定的に固定及び支持される。詳しくは、天部２１への設置状態において、第１固定部材３２は、その第１受け部３２１とパネル体３１の上端が嵌合していることにより、パネル体３１が水田側法面部２２から浮き上がって離脱しないように、第１受け部３２１によってパネル体３１の上端位置を天部２１近傍で安定的に保持されることになり、第１固定部材３２とパネル体３１の上端縁の位置固定が成される。
【００５９】
また、パネル体３１の上端位置が第１受け部３２１に嵌合する構造であることから、パネル体３１の上端位置と第１固定部材３２の間に隙間が空きにくいようになっており、同部分からの雨水の浸入、植物種子の侵入を抑制することができる。
【００６０】
つまり、第１固定部材３２は、簡単に設置できる部材でありながら、効率良くかつ安定的にパネル体３１の上端位置を天部２１近傍に固定することができる。併せて、天部２１と水田側法面部２２とが接する角となる部分は、従来崩れやすい部分であるが、第１固定部材３２が同部分を覆い崩れにくく保護している。そして、滑り止め部３２３は、天部２１上を歩行する者や走行する車両が、水田側法面部２２に滑落しにくいようにしている。
【００６１】
第２固定部材３３は、前述した構造を以てパネル体３１下端を受け、水田側法面部２２の裾近傍においてパネル体３１下部を保持することができる。より詳しくは、まず、第２固定部材３３は、パネル体３１を水田側法面部２２の表面に沿わせた状態で、パネル体３１下端縁が第２受け部３２に嵌合するよう位置合わせをすると共に、第２埋入部３３２が水田側法面部２２の裾部分の土壌中に食い込むように同裾部分へ押圧して取り付ける（先に第２固定部材３３を設置し、パネル体３１の下端位置を調整する方法であっても良い）。
【００６２】
この結果、第２固定部材３３は、水田側法面部２２の裾部分の土壌中に埋入した第２埋入部３３２によって、水平方向に荷重が加わっても設置位置からずれないように安定的に固定される。詳しくは、水田側法面部２２の裾部分への設置状態において、第２固定部材３３は、その第２受け部３３１とパネル体３１下端とが嵌合していることにより、パネル体３１が水田側法面部２２から浮き上がって離脱しないように、第２受け部３３１によってパネル体３１の上端位置を水田側法面部２２の裾部分で安定的に保持されることになり、第２固定部材３３とパネル体３１の下端縁の位置固定が成される。
【００６３】
また、パネル体３１の下端位置が第２受け部３３１に嵌合する構造であることから、パネル体３１の下端位置と第２固定部材３３の間に隙間が空きにくいようになっており、同部分からの雨水の浸入、植物種子の侵入を抑制することができる。
【００６４】
つまり、第２固定部材３３は、簡単に設置できる部材でありながら、効率良くかつ安定的にパネル体３１の下端位置を水田側法面部２２の裾部分に固定することができる。そして、滑り止め部３３３は、水田に下りてきた作業者が歩行しやすいようにしている。
【００６５】
更にまた、第１固定部材３２は第１埋入部３２２を、第２固定部材３３は第２埋入部３３２を、それぞれ配置される箇所の土壌へ押圧し食い込ませて取り付けるため、第１固定部材３２下面と接する地面及び埋入した第１埋入部３２２の周囲の土壌が押し固められて（換言すると、圧縮されて）地耐力が向上し、同様に、第２固定部材３３下面と接する地面及び埋入した第２埋入部３３２の周囲の土壌が押し固められて（換言すると、圧縮されて）地耐力が向上する。これにより、圧縮された天面２１の強度が向上し同部分の土壌が崩れにくくなることで第１固定部材３２は離脱しにくくなり、圧縮された水田側法面部２２の裾部分の強度が向上し同部分の土壌が崩れにくくなることで第２固定部材３３は離脱しにくくなる。
【００６６】
このように、畦畔構造体１において、畦畔覆設ユニット３によれば、第１固定部材３２及び第２固定部材３３が協働してパネル体３１を水田側法面部２２に安定的に固定し、同固定位置から離脱することを抑制することができるものとなっており、その施工を容易に行うことができる。
【００６７】
〔畦畔覆設方法〕
本実施形態における畦畔覆設方法は、畦畔基礎部形成工程と、水田側法面壁部形成工程と、により行われる。
【００６８】
畦畔基礎部形成工程では、水田Ｐ１に隣接した前述の畦畔基礎部２を形成する。
【００６９】
水田側法面壁部形成工程は、法面覆設ステップ、第１固定部材設置ステップ、及び、第２固定部材設置ステップからなる。
法面覆設ステップでは、畦畔基礎部形成工程により形成された水田側法面部２２を、パネル体３１で覆設する。
第１固定部材設置ステップでは、パネル体３１の上端位置を、第１固定部材３２を以て天部２１に固定設置する。
第２固定部材設置ステップでは、パネル体３１の下端位置を、第２固定部材３３を以て水田側法面部２２の裾近傍に固定設置する。
【００７０】
なお、法面覆設ステップ、第１固定部材設置ステップ及び第２固定部材設置ステップは必ずしも記載順に行う必要はなく、どのステップから作業開始してもよいが、最初に第２固定部材設置ステップ、次に法面覆設ステップ、最後に第１固定部材設置ステップ、の順番で行うことが精度良く効率的な施工が容易に達成できる。
【００７１】
〔変形例１〕
図３を参照して、畦畔構造体１の変形例である畦畔構造体１ａについて説明する。なお、畦畔構造体１と相違する構造及び作用効果についてのみ説明し、その他の共通する部分の説明は省略する。
【００７２】
畦畔構造体１ａは、畦畔基礎部２と畦畔覆設ユニット３ａを備える。なお、畦畔基礎部２は第１実施形態と同様であるため、その構造及び作用効果の説明は省略する。
【００７３】
畦畔覆設ユニット３ａは、パネル体３１、第１固定部材３２ａ及び第２固定部材３３ａを有し、これらの組み合わせにより構成され、これらはコンクリート二次製品である。なお、パネル体３１は第１実施形態と同様であるため、その構造及び作用効果の説明は省略する。
【００７４】
第１固定部材３２ａは、第１固定部材３２と同様、パネル体３１の上端位置を天部２１近傍で固定する部材であり、第１受け部３２１、第１埋入部３２２、滑り止め部３２３、中空部３２４及び長溝３２５を有する構造である。なお、第１受け部３２１、第１埋入部３２２及び滑り止め部３２３は、第１実施形態と同様であるため、その構造及び作用効果の説明は省略する。
【００７５】
第１固定部材３２ａは、押出成形セメント製であり、その板厚方向中間領域（換言すると、表面と裏面の間）に、複数の中空部３２４が形成されている。各中空部３２４は、左右側部端面に形成された複数の開口部（図３においては正面に表示）と連通している。第１固定部材３２ａは、複数の中空部３２４が形成されていることにより、第１実施形態に係る第１固定部材３２と比較して軽量で、設置場所までの運搬、設置作業の際に、作業者の負担を更に軽減することができる。
【００７６】
第１固定部材３２ａは、長手方向となる各側面に、長溝３２５が形成されている。長溝３２５は、第１固定部材３２ａの高さ方向略中間位置に形成されている。長溝３２５は、各側面に形成されていることにより、当該部分をいわゆる掴み代（人力による場合は指を入れる部分、機械による場合は係止爪先端が入る部分）として、第１固定部材３２ａを把持し持ち上げやすくしている。
【００７７】
第２固定部材３３ａは、第２固定部材３３と同様、パネル体３１の下端位置を水田側法面部２２の裾部分で固定する部材であり、第２受け部３３１、第２埋入部３３２、滑り止め部３３３、中空部３３４及び長溝３３５を有する構造である。なお、第２受け部３３１、第２埋入部３３２及び滑り止め部３３３は、第１実施形態と同様であるため、その構造及び作用効果の説明は省略する。
【００７８】
第２固定部材３３ａは、押出成形セメント製であり、その板厚方向中間領域（換言すると、表面と裏面の間）と、第２埋入部３３２の板厚方向中間領域（換言すると、第２埋入部３３２の表面と裏面の間）に、複数の中空部３３４が形成されている。各中空部３３４は、左右側部端面に形成された複数の開口部（図３においては正面に表示）と連通している。第２固定部材３３ａは、複数の中空部３３４が形成されていることにより、第１実施形態に係る第２固定部材３３と比較して軽量で、設置場所までの運搬、設置作業の際に、作業者の負担を更に軽減することができる。
【００７９】
第２固定部材３３ａは、長手方向となる各側面に、長溝３３５が形成されている。長溝３３５は、第２固定部材３３ａの高さ方向略中間位置且つ第２固定部材３３ａの裏面と略同じ高さに形成されている。長溝３２５は、各側面に形成されていることにより、当該部分をいわゆる掴み代として、第２固定部材３３ａを把持し持ち上げやすくしている。また、長溝３２５は、第２固定部材３３ａの裏面と略同じ高さに形成されていることにより、設置レベルの確認に利用することができる。
【００８０】
〔第２実施形態〕
（畦畔構造体１ｂ）
図４〜図５を参照して、本発明の他の実施形態（第２実施形態）である畦畔構造体１ｂについて説明する。畦畔構造体１ｂは、水田Ｐ１と水田Ｐ２を区切るように設置され、畦畔基礎部２と畦畔覆設ユニット３ｂを備える。なお、前述した第１実施形態の畦畔構造体１と同様の構造及びその作用効果については説明を省略する。
【００８１】
畦畔構造体１ｂは、畦畔基礎部２と畦畔覆設ユニット３ｂを備える。なお、畦畔基礎部２は第１実施形態と同様であるため、その構造及び作用効果の説明は省略する。
【００８２】
畦畔覆設ユニット３ｂは、パネル体３１、第１固定部材３２及び第２固定部材３３ｂを有し、これらの組み合わせにより構成される。なお、パネル体３１及び第１固定部材３２はコンクリート二次製品であり、第１実施形態と同様の構成であるため、その構造及び作用効果の説明は省略する。
【００８３】
第２固定部材３３ｂは、合成樹脂製で、パネル体３１下端側の開口部から突出した所定長さの杭状部材であり、第２埋入部３３２ｂ、嵌入部３３６及び係止部３３７を有する構造である。第２埋入部３３２ｂは、嵌入部３３６の反対方向に所定長さで延設され、水田側法面部２２の裾近傍の土壌内に埋入される部分である。嵌入部３３６は、パネル体３１の第２固定部材側に形成された開口部を介して中空部内に嵌着される部分である。係止部３３７は、第２埋入部３３２ｂと嵌入部３３６の間に設けられ、パネル体３１の開口部口縁で係止可能な部分である（図４（ａ）〜（ｃ）参照）。
【００８４】
より詳しくは、第２埋入部３３２ｂは、所定幅且つ所定長さの板状の基板３３８の表面に３本の凸条３３９が、裏面に３本の凸条３３９が、それぞれ設けられた形状である。表裏両面の凸条３３９の配置は同じであり、基板３３８の幅方向両側縁部分に２条、両側縁の間の中央部分に１条が設けられている。各凸条３３９は、その先部が基板３３８側に向かって下り傾斜している（図５（ｂ）及び（ｃ）参照）。
【００８５】
そして、嵌入部３３６は、第２埋入部３３２ｂよりも短幅且つ長さ方向に短い板状であり、その幅はパネル体３１の下端側（換言すると第２固定部材側）に形成された開口部の孔径よりも僅かに幅広で、パネル体３１下端の開口部への挿入時において、嵌入部３３６の幅方向側縁がパネル体３１の中空部内壁と当接し摩擦力（又は可撓性材質に起因する復元作用による押圧力）を以て、パネル体３１から離脱しないように嵌着できる構造である。
【００８６】
また、係止部３３７は、第２埋入部３３２ｂよりも幅広且つパネル体３１下端の開口部よりも径大なフランジ状部分である。係止部３３７は、第２固定部材３３ｂをパネル体３１下端の開口部に取り付けた状態において、嵌入部３３６が所定の長さで嵌入し、第２埋入部３３２ｂが突出長さを確保できるように、パネル体３１の開口部口縁で係止する構造である。
【００８７】
（作  用）
図５（ｂ）に示すように、嵌入部３３６をパネル体３１下端の開口部から中空部内に差し込んで挿着し、第２固定部材３３ｂとパネル体３１とを一体的に連結させる。連結させた第２固定部材３３ｂとパネル体３１を、第２埋入部３３２ｂを下向きにして畦畔基礎部２の水田側法面部２２に沿わせて下降させ、水田側法面部２２の裾部分の土壌に第２埋入部３３２ｂを刺し、パネル体３１を押し込んでいく（図４（ａ）参照）。押し込んだパネル体３１の上縁と畦畔基礎部２の天部２１が略水平になったところで、第１固定部材３２を上方から被せて押圧し（図４（ｂ）参照）、畦畔覆設ユニット３ｂが設置された畦畔構造体１ｂが完成する（図４（ｃ）参照）。
【００８８】
第２固定部材３３ｂによれば、簡易な構造でありながら、効率良く且つ安定的にパネル体３１の下端位置を水田側法面部２２の裾部分に固定することができる。
【００８９】
詳しくは、第２固定部材３３ｂは、パネル体３１下端の開口部を通じて嵌入部３３６を中空部内の空間に差し込むだけで、パネル体３１との連結が完了し、畦畔覆設ユニット３ｂにおいて杭状に突出する第２埋入部３３２ｂを有する第２固定部材３３ｂを設けることができる。
【００９０】
嵌入部３３６は、パネル体３１下端の開口部を介して中空部内に差し入れるだけで簡単に挿着でき、組み立て作業が容易である。そして、パネル体３１の中空部内に嵌着された嵌入部３３６は、同中空部内壁と当接し摩擦力を発揮するのでパネル体３１からの離脱が抑制され、且つ、軸方向における第２埋入部３３２ｂの軸ブレが抑制される。この軸ブレ抑制により、第２埋入部３３２ｂを土壌内に埋入させる作業がしやすく、且つ、設置後のパネル体３１が水田側法面部２２の左右方向にずれることが抑制される。なお、嵌入部３３６は、前記構造であるため、短尺化しても脱落抑止及び軸ぶれ抑止に十分な機能を発揮しており、保管時及び輸送時の省スペース化、材料の減量化を図ることができる。
【００９１】
パネル体３１に連結した第２固定部材３３ｂは、これを水田側法面部２２の裾部分の土壌中に埋入させることで、同裾部分に第２固定部材３３ｂが安定的に固定支持され、これにより、パネル体３１下端位置が安定的に固定されて水田側法面部２２からの離脱が抑制される。
【００９２】
第２固定部材３３ｂは、第２埋入部３３２ｂが前記形状の杭状部材であることにより、水田側法面部２２の裾部分の土壌中に埋入させやすく効率良い施工が可能である。具体的には図４（ａ）に示すように、パネル体３１を上方から押圧すれば、裾部分の土壌中に第２埋入部３３２ｂが埋入する。更に、第２埋入部３３２ｂの各凸条３３９が前述の形状（先部が基板３３８側に向かって下り傾斜している）であるため、土壌中に進入しやすくなっている。
【００９３】
第２固定部材３３ｂは、パネル体３１に着脱可能な構造であるため、パネル体３１と第２固定部材３３ｂとを分けて製造し、現場で組み立てる態様とすることができる。これにより、パネル体３１の製造工程を簡易化することができ、製造コストの低減化を図ることができる。
【００９４】
第２固定部材３３ｂをパネル体３１に取り付ける際に、係止部３３７は、パネル体３１下端の開口部口縁に当接し、それ以上の進入を止めることができる。これにより、第２埋入部３３２ｂが必要以上に中空部内に入らないようにして、第２埋入部３３２ｂの突出長さを確保することができる。
【００９５】
第２埋入部３３２ｂは、前述の形状であることから、嵌入部３３６よりも幅広で表面積を拡大させる加工が成されたものとなっている。これにより、第２埋入部３３２ｂを土壌中に埋入した状態において、第２埋入部３３２ｂの表面と土壌との接触面積が更に拡大して摩擦力が増大し、パネル体３１の固定を更に安定的なものにしている。
【００９６】
本実施形態において、第２固定部材３３ｂは合成樹脂製であるが、これに限定するものではなく、例えば、金属製等であってもよいし、合成樹脂部分と金属部分を含む複合構造等であってもよい。また、本実施形態において、第２固定部材３３ｂは各部分が前述した形状であるが、これに限定するものではなく、一部又は全部に他の形状を採用することもできる。
【００９７】
本実施形態において、嵌入部３３６の「短尺」とは、嵌入部３３６の軸方向長さが第２埋入部３３２ｂの軸方向長さよりも短いことを意味し、「短尺」の範囲は、嵌入部３３６の軸方向長さが第２埋入部３３２ｂの軸方向長さの１５％以上８０％の範囲内であることが好ましい。１５％未満である場合は、脱落抑止効果及び軸ぶれ抑止効果が不足する可能性が高いため好ましくなく、一方、８０％を超える場合は、脱落抑止効果及び軸ぶれ抑止効果は十分であるが、保管時及び輸送時の省スペース化、材料の減量化が十分と言い難いため好ましくない。
【００９８】
〔第３実施形態〕
（畦畔構造体１ｃ）
図６を参照して、本発明の他の実施形態（第３実施形態）である畦畔構造体１ｃについて説明する。畦畔構造体１ｃは、畦畔基礎部２ｃと畦畔覆設ユニット３ｃを備える。
【００９９】
本実施形態では、先に水田側法面部２２ｃの裾部分となる予定領域に畦畔覆設ユニット３ｃを設置し、その後に土を入れて水田側法面部２２ｃが形成されている。畦畔基礎部２ｃは、道路Ｒから水田Ｐ１に続く緩斜面Ｎ上に土を盛って形成され、盛土後の上面が天面２１ｃを、急斜面となる水田側法面部２２ｃを構成する。つまり、畦畔構造体１ｃは、事後的に形成される急斜面の水田側法面部２２ｃを畦畔覆設ユニット３ｃで覆う態様である。なお、前述した第１実施形態の畦畔構造体１と同様の構造及びその作用効果については説明を省略する。
【０１００】
畦畔覆設ユニット３ｃは、パネル体３１、第１固定部材３２ｃ及び第２固定部材３３ｃを有し、これらの組み合わせにより構成される。なお、パネル体３１は、第１実施形態と同様の構成であるため、その構造及び作用効果の説明は省略する。
【０１０１】
第１固定部材３２ｃは、コンクリート二次製品で、天部２１ｃに設置し、パネル体３１の上端位置を天部２１ｃ近傍で固定する逆Ｕ字溝形状の部材であり、第１受け部３２１ｃ及び第１埋入部３２２ｃを有する構造である。また、第１固定部材３２ｃは、その上面が略平坦に形成され、上面の長手方向に亘る複数条の滑り止め部３２３が設けられている。
【０１０２】
第１受け部３２１ｃは、設置状態においてパネル体３１の上端縁が嵌合する凹条溝である。なお、第１受け部３２１を構成する側壁のうち設置状態において天部２１ｃ側となる部分が第１埋入部３２２ｃであり、天部２１ｃの土壌内に埋入する部分となる。
【０１０３】
第２固定部材３３ｃは、杭状部材であり、パネル体３１中空部の軸方向に沿って挿入された長尺棒体により構成され、基部側がパネル体３１中空部内に位置し、先部側がパネル体３１下端の開口部から所定長さ突出した態様である。
【０１０４】
なお、第２固定部材３３ｃは、所定長さで杭状の長尺棒体であれば、その形状は特に限定されるものではなく、例えば、図６（ｂ）に示すＬアングル棒体、あるいは、図６（ｃ）に示す円管棒体が挙げられ、その他角管棒体等であってもよく、更に、管状体のみならず、中実棒体であってもよい。
【０１０５】
（作  用）
図６（ａ）を参照する。畦畔構造体１ｃは、先に水田側法面部２２ｃの裾部分となる予定領域に畦畔覆設ユニット３ｃを設置する。
【０１０６】
より詳しくは、最初に、水田側法面部２２ｃの裾部分となる予定領域の土壌に溝条の下孔を掘り、同下孔にパネル体３１下部を差し入れる。
【０１０７】
その次に、パネル体３１上端側開口部から第２固定部材３３ｃを挿入し、第２固定部材３３ｃの先部が所定深さで前述の土壌中へ食い込むように押し込む。押し込みが完了したら、少なくとも第２固定部材３３ｃを挿入したパネル体３１の中空部に凝固材を入れ、固化後の凝固材によって同中空部内において第２固定部材３３ｃが軸ぶれしないように固定される。
【０１０８】
次いで、立設したパネル体３１から道路Ｒの縁の間の領域（すなわち道路Ｒから水田Ｐ１に続く緩斜面Ｎ上）に土を盛り、畦畔基礎部２ｃを形成する。
【０１０９】
最後に、畦畔基礎部２ｃの形成後、第１固定部材３２ｃをパネル体３１上端縁に取り付ける。詳しくは、天面２１ｃの水田Ｐ２側に現れているパネル体３１の上端に被せるように第１受け部３２１ｃを嵌め、且つ、第１埋入部３２２ｃを天面２１ｃの土壌に食い込むように押圧して取り付ける。
【０１１０】
なお、畦畔構造体１ｃは、前述の手順で施工されるが、これに限定するものではなく、例えば、先に緩斜面Ｎ上に盛土すると共に水田Ｐ１側を押し固めて水田側法面部２２ｃと成すことで畦畔基礎部２ｃを形成し、その後に畦畔覆設ユニット３ｃを設置する手順であってもよい。後述する変形例２に示す畦畔構造体１ｅについても同様である。
【０１１１】
また、畦畔覆設ユニット３ｃは、前述の手順で施工されるが、これに限定するものではなく、例えば、最初に、第２固定部材３３ｃの先部が所定深さで土壌中へ食い込むように下孔へ押し込み、その次に、パネル体３１下端側開口部に第２固定部材３３ｃの基部（設置時において上部側）が挿入されるようにして第２固定部材３３ｃに沿ってパネル体３１を下ろし、下孔にパネル体３１下部を差し入れる設置する手順であってもよい。後述する変形例２に示す畦畔構造体１ｅについても同様である。
【０１１２】
畦畔構造体１ｃは、畦畔覆設ユニット３ｃの第２固定部材３３ｃを水田側法面部２２ｃの裾部分となる土壌中へ杭状に埋入させることで、畦畔覆設ユニット３ｃを水田側法面部２２ｃの裾部分に安定的に支持させることができる。
【０１１３】
水田側法面部２２ｃの裾部分で安定的に支持された第２固定部材３３ｃは、パネル体３１が水田側法面部２２ｃから離脱しないようにパネル体３１下部を保持する。また、第１固定部材３２ｃは、天部２１ｃで安定的に支持され、パネル体３１が水田側法面部２２ｃから離脱しないようにパネル体３１上部を保持する。つまり、第１固定部材３２ｃ及び第２固定部材３３ｃが協働し、パネル体３１が水田側法面部２２ｃから浮き上がって離脱しないように、安定的に保持される。
【０１１４】
また、畦畔構造体１ｃは、第２固定部材３３ｃが杭状であることにより、水田側法面部２２ｃの裾部分となる土壌中に埋入させやすく、効率良く施工することができる。なお、第２固定部材３３ｃは比較的安価な汎用品を使用することができるので、工事費の低減化を図ることができる。
【０１１５】
〔第４実施形態〕
（畦畔構造体１ｄ）
図７〜図８を参照して、本発明の他の実施形態（第４実施形態）である畦畔構造体１ｄについて説明する。畦畔構造体１ｄは、畦畔基礎部２と畦畔覆設ユニット３ｄを備える。なお、畦畔基礎部２は第１実施形態と同様であるため、その構造及び作用効果の説明は省略する。
【０１１６】
畦畔覆設ユニット３ｄは、パネル体３１及びパネル体３１ｄ、第１固定部材３２及び第２固定部材３３ｃを有し、これらの組み合わせにより構成されている。なお、パネル体３１及び第１固定部材３２は第１実施形態と、第２固定部材３３ｃは第３実施形態と、それぞれ同様であるため、その構造及び作用効果の説明は省略する。
【０１１７】
畦畔覆設ユニット３ｄでは、パネル体３１及びパネル体３１ｄを組み合わせて使用される。より詳しくは、まず１枚のパネル体３１ｄが配置され、次に複数枚（図７では５枚）のパネル体３１が配置され、再度パネル体３１ｄが配置されており、同様の組み合わせで、畦畔覆設ユニット３ｄの長手方向に連続して配置される。
【０１１８】
パネル体３１ｂは、設置状態において表面側且つ高さ方向略中間となる領域に開口した、所定広さのポケット部３１１が設けられている（図７参照）。より詳しくは、パネル体３１ｂは、設置状態において表面側且つ高さ方向略中間となる領域に、板厚方向に貫通した開口部分３１２が形成され、そして、開口部分３１２にポケット部構成材３１３を嵌め入れることで、ポケット部３１１が設けられている（図８参照）。
【０１１９】
ポケット部構成材３１３は、正面側のみが開口し（ポケット開口部３１４）、所定の奥行き（パネル体３１ｂの板厚よりもやや長い）に形成された箱状の部材であり、ポケット開口部３１４の口縁には外側に屈曲して成るフランジ部分が設けられている（符号省略）。同フランジ部は、パネル体３１ｂに嵌め入れた後、開口部分３１２の正面側口縁部分に当接すると共に、ポケット部構成材３１３がそれ以上奥側に入り込まないように係止する（図８参照）。
【０１２０】
また、ポケット部構成材３１３は、開口部分３１２に嵌め入れた後に、ビス３１５によって固定されている。より詳しくは、ビス３１５は、その軸部がポケット部構成材３１３内の側壁と、同側壁と隣接するパネル体３１ｂの中空部を仕切る隔壁とを貫通し、その先部が同隔壁に隣接する他の中空部に挿通した取付基材３１６に至るように挿着されている（図８参照）。
【０１２１】
畦畔構造体１ｄは、パネル体３１ｄにポケット部３１１を設けたことにより、水田側法面部２２を昇降する際に足先や手を入れ、手がかり足がかりとして利用することができ、別途梯子や階段を設けずに済む。加えて、ポケット部３１１は、水位センサーの設置箇所としても使用することができる。
【０１２２】
そして、パネル体３１ｄは、前述の構造であることにより、パネル体自体とポケット部構成材３１３とを分けて製造し、現場等で事後的に組み立てる態様とすることができる。これにより、パネル体３１ｂの製造工程を簡易化することができ、製造コストの低減化を図ることができる。また、ポケット部構成材３１３が別部材であるため、用途に合わせてポケット部構成材の形状等を適宜改変又は選択することで汎用性が向上し、多用途に対応することができる。加えて、用途別に変更された複数種のポケット部が形成されたパネル体（全体）を製造せずに済むため、製造工場における多品種製造の必要が無く、製造コスト低減化を図ることができる。
【０１２３】
本実施形態においては、２枚のパネル体３１ｄの間に５枚のパネル体３１が配置された態様であるが、これに限定するものではなく、例えば、間に配置されるパネル体３１の枚数は適宜設定することができる。また、パネル体３１ｄのみを配置する態様を除外するものではない。
【０１２４】
本実施形態においては、ポケット部構成材３１３はビス３１５によって固定される態様であるが、これに限定するものではなく、例えば、釘やボルト、接着剤等の他の固定手段を使用してもよい。
【０１２５】
〔変形例２〕
図９を参照して、畦畔構造体１ｃの変形例である畦畔構造体１ｅについて説明する。なお、畦畔構造体１ｃと相違する構造及び作用効果についてのみ説明し、その他の共通する部分の説明は省略する。
【０１２６】
畦畔構造体１ｅは、畦畔基礎部２ｃと畦畔覆設ユニット３ｅを備える。なお、畦畔基礎部２ｃは第３実施形態と同様であるため、その構造及び作用効果の説明は省略する。
【０１２７】
畦畔覆設ユニット３ｅは、パネル体３１ｄ、第１固定部材３２ｃ及び第２固定部材３３ｃを有し、これらの組み合わせにより構成される。なお、パネル体３１ｄは第４実施形態と、第１固定部材３２ｃ及び第２固定部材３３ｃは第３実施形態と、それぞれ同様であるため、その構造及び作用効果の説明は省略する。
【０１２８】
畦畔構造体１ｅは、パネル体３１ｄにポケット部３１１を設けたことにより、水田側法面部２２ｃを昇降する際に足先や手を入れ、手がかり足がかりとして利用することができ、別途梯子や階段を設けずに済む。加えて、ポケット部３１１は、水位センサーの設置箇所としても使用することができる。この点において、畦畔構造体１ｅは、畦畔構造体１ｃと相違し、より便利なものとなっている。
【０１２９】
前述の第１実施形態、変形例１、第２実施形態及び第４実施形態において、畦畔構造体は、水田側法面２３に畦畔覆設ユニットを設けていない態様であるが、これに限定するものではなく、水田側法面２２同様、水田側法面２３にも畦畔覆設ユニットを配設する態様であってもよい。
【０１３０】
前述の各実施形態及び各変形例において、コンクリート二次製品であると説明した部材は、例えば、その一部又は全部を他の素材（例えば、金属材、合成樹脂材等）に置換してもよいし、コンクリート二次製品と鉄板・ゴム板・合成樹脂板等を組み合わせた複合構造等であってもよい。
【０１３１】
本明細書および特許請求の範囲で使用している用語と表現は、あくまでも説明上のものであって、なんら限定的なものではなく、本明細書および特許請求の範囲に記述された特徴およびその一部と等価の用語や表現を除外する意図はない。また、本発明の技術思想の範囲内で、種々の変形態様が可能であるということは言うまでもない。また、第一、第二等の言葉は、等級や重要度を意味するものではなく、一つの要素を他の要素から区別するために使用したものである。
【符号の説明】
【０１３２】
１、１ａ、１ｂ、１ｃ、１ｄ  畦畔構造体
２、２ｃ  畦畔基礎部
２１、２１ｃ  天部
２１０  上段部
２２、２２ｃ  水田側法面部
２３  水田側法面部
３、３ａ、３ｂ、３ｃ、３ｄ  畦畔覆設ユニット
３１、３１ｄ  パネル体
３１１  ポケット部
３１２  開口部分
３１３  ポケット部構成部材
３１４  ポケット開口部
３１５  ビス
３１６  取付基材
３２、３２ａ、３２ｃ  第１固定部材
３２１、３２１ｃ  第１受け部
３２２、３２２ｃ  第１埋入部
３２３  滑り止め部
３２４  中空部
３２５  長溝
３３、３３ａ、３３ｂ、３３ｃ  第２固定部材
３３１  第２受け部
３３２、３３２ｂ  第２埋入部
３３３  滑り止め部
３３４  中空部
３３５  長溝
３３６  嵌入部
３３７  係止部
３３８  基板
３３９  凸条
Ｐ１  水田
Ｐ２  水田
Ｒ  道路
Ｎ  緩斜面
【要約】
【課題】簡易な構造で施工が容易でありながら、長期堅牢な法面壁部を形成可能な畦畔覆設ユニット、畦畔構造体、及び、畦畔覆設方法を提供する。
【解決手段】畦畔構造体１は、畦畔基礎部２及び畦畔覆設ユニット３を備える。畦畔基礎部２は、水田Ｐ１・Ｐ２に隣接して所定の高さで盛土あるいは切土して形成され、天部２１及び天部２１から水田Ｐ１・Ｐ２の方向に下り傾斜する水田側法面部２２・２３を有する。畦畔覆設ユニット３は、水田側法面部２２に覆設されたパネル体３１、天部２１に設置され、パネル体３１の上端位置を天部２１近傍で固定した第１固定部材３２、及び、水田側法面部２２の裾近傍に設置され、パネル体３１の下端位置を水田側法面部２２の裾近傍に固定した第２固定部材３３を有する。
【選択図】図２【図１】
0006843417.tif 000002
【図２】
0006843417.tif 000003
【図３】
0006843417.tif 000004
【図４】
0006843417.tif 000005
【図５】
0006843417.tif 000006
【図６】
0006843417.tif 000007
【図７】
0006843417.tif 000008
【図８】
0006843417.tif 000009
【図９】
0006843417.tif 000010